(57)【特許請求の範囲】
【請求項１】
立設された中空柱の内部に複数の補強材と充填材とを投入して中空柱を補強する際に、前記補強材を含む棒状体の先端に取り付けられた紐を中空柱内で保持し当該棒状体を懸吊するための懸吊用治具であって、
前記中空柱の頂部近傍の中空柱側面に設けられた小孔から中空柱内部に挿入される先端部分に前記棒状体先端の紐を案内し保持する紐案内部を設けた棒状の基軸と、
前記小孔に少なくとも一部が嵌め込まれると共に前記基軸を軸方向に進退自在に保持し、かつ上面に前記紐を案内するための溝状の紐挿通部を設けた基軸保持部と、
この基軸保持部の中空柱外部側に固設される基軸支持部と、
前記基軸の後端部分の中空柱外部側に設けられ、前記紐案内部で案内された前記棒状体先端からの紐を着脱自在に固定する紐固定部と
を有することを特徴とする中空柱内の棒状体用の懸吊用治具。
【請求項２】
請求項１に記載の懸吊用治具を用いて、立設された中空柱の内部に複数の補強材と充填材とを投入して中空柱を補強する際に、前記補強材を含む棒状体の先端に取り付けられた紐を中空柱内で保持し当該棒状体を懸吊するときの中空柱内における棒状体の懸吊方法であって、
前記中空柱側面に設けられた小孔から当該小孔の位置に応じた所定長だけ通線紐を挿入する工程と、
前記懸吊用治具の基軸の先端部分を前記小孔から中空柱内部に挿入する工程と、
前記通線紐を前記基軸の先端部分に設けられた紐案内部で保持し懸吊する工程と、
前記小孔より下方に設けられた開口において前記懸吊された通線紐と前記棒状体の先端に取り付けられた紐とを結束する工程と、
前記小孔から前記通線紐を引き上げ、前記結束された棒状体の先端に取り付けられた紐を前記小孔から引き出す工程と、
この引き出された紐を前記基軸の後端部分の中空柱外部に設けられた紐固定部に着脱自在に固定する工程と
を有することを特徴とする中空柱内における棒状体の懸吊方法。
【請求項３】
前記小孔に少なくとも一部が嵌め込まれる基軸保持部により軸方向に進退自在に保持される基軸を進退移動させて前記紐案内部で懸吊される前記棒状体の中空柱内部での配置位置を変更することを特徴とする請求項２に記載の中空柱内における棒状体の懸吊方法。
【請求項４】
前記所定長は、前記小孔が中空柱の頂部近傍の中空柱側面に設けられるとき、この小孔と前記開口との距離よりも若干長いことを特徴とする請求項２または３のいずれかに記載の中空柱内における棒状体の懸吊方法。
【発明の詳細な説明】
【技術分野】
【０００１】
本発明は、各種鋼管柱やコンクリート柱等の中空柱の補強を、中空柱が立設した状態で行う際に、該中空柱内部に配設される棒状体の配置を容易にする中空柱内における棒状体の懸吊方法およびその懸吊用治具に関する。
【背景技術】
【０００２】
鋼管柱やコンクリート柱等の中空柱は、通常は中空柱の基端部の所定長部分が地中に埋設されて強固に立設され、また中空柱上部には架線や、投光器等が取り付けられるため、その立て替えは容易ではない。
【０００３】
一方、このような中空柱は、中空柱の設置環境や経年変化などにより強度が劣化し、低下する可能性のあることが指摘されることもあった。そのため、このような中空柱は定期的に点検され、このような点検の結果、補強や立て替えが行われる必要が生じることもある。
【０００４】
例えば、特許文献１では中空柱としてのコンクリート製の電柱の地際から１ｍ程上方の電柱側面に形成された側面開口部から中空柱の内部に補強材としてのアラミドロッドを複数本、挿入したのち複数本のアラミドロッドを治具等により均等に配置し、次にこれらアラミドロッドの隙間に例えば豆砂利や砕石を投入し、更にモルタルやコンクリートなどを順次投入し、これにより中空柱の最下端部から側面開口部付近までを補強するようにしている。
【特許文献１】特願２００３−２４１７６号
【発明の開示】
【発明が解決しようとする課題】
【０００５】
上述したように、従来のコンクリート製の電柱の補強方法では、電柱の地際から１ｍ程上方の電柱側面に形成された側面開口部等を用いて、複数本の補強材としてのアラミドロッドを電柱の中空内に投入し、該アラミドロッドを中空内部で均等に配置し補強するようにしている。
【０００６】
また、作業用に電柱（中空柱）に設けられる側面開口は、そもそも電柱の強度に影響を与えてはならないことから、必要最小限の開口となるように施工されている。そのため中空内部に収容されアラミドロッドを均等に配置するための治具は、大きさや構成が極端に制限されている。
【０００７】
一方、施工方法として、中空柱の全長に渡って補強施工を行う場合、あるいはアラミドロッドを中空柱の頂部から中空柱内部に挿入して補強施工を行う場合、従来は中空柱の頂部を開口して施工作業を行うようにしていた。
【０００８】
しかしながら、例えば中空柱としての電柱の場合には、電柱頂部の上に、さらに筒状の中空体が被せられ電柱の上方向への高さを稼ぐようにしている場合や、頂部上方に他の架線等の障害物が存在していて電柱頂部の上方に作業可能な空間的余裕が無い場合があり、このような場合には十分な補強を施すことは困難を伴うものとなる可能性があった。
【０００９】
本発明は、上記に鑑みてなされたもので、その目的とするところは、立設した状態の既設の中空柱の補強を行う際に、中空柱の頂部からの作業が困難な場合であっても、ガイド棒、アラミドロッド等の棒状体を所定の位置への配置を効率的に行うことを補助することが可能な中空柱内における棒状体の懸吊方法およびその懸吊用治具を提供することにある。
【課題を解決するための手段】
【００１０】
上記の課題を解決するために、請求項１の中空柱内の棒状体用の懸吊用治具は、立設された中空柱の内部に複数の補強材と充填材とを投入して中空柱を補強する際に、前記補強材を含む棒状体の先端に取り付けられた紐を中空柱内で保持し当該棒状体を懸吊するための懸吊用治具であって、前記中空柱の頂部近傍の中空柱側面に設けられた小孔から中空柱内部に挿入される先端部分に前記棒状体先端の紐を案内し保持する紐案内部を設けた棒状の基軸と、前記小孔に少なくとも一部が嵌め込まれると共に前記基軸を軸方向に進退自在に保持し、かつ上面に前記紐を案内するための溝状の紐挿通部を設けた基軸保持部と、この基軸保持部の中空柱外部側に固設される基軸支持部と、前記基軸の後端部分の中空柱外部側に設けられ、前記紐案内部で案内された前記棒状体先端からの紐を着脱自在に固定する紐固定部とを有することを要旨とする。
【００１１】
請求項１の中空柱内の棒状体用の懸吊用治具によれば、中空柱の頂部近傍の中空柱側面に設けられた小孔から懸吊用治具の先端部分に設けられた紐案内部を中空柱内部に差し込み、基軸保持部で保持された基軸を進退自在に挿脱することにより、紐案内部で保持され案内される紐、つまり当該紐に取り付けられた棒状体の配置位置を容易に調整することが可能となる。
【００１３】
さらに、小孔が中空柱の頂部近傍の中空柱側面に設けらることから、中空柱の頂部を開口出来ない環境下にある既設の中空柱であっても、中空柱を立設した状態のままで容易にかつ効果的に補強することができる。
【００１４】
また請求項２の中空柱内における棒状体の懸吊方法は、請求項１に記載の懸吊用治具を用いて、立設された中空柱の内部に複数の補強材と充填材とを投入して中空柱を補強する際に、前記補強材を含む棒状体の先端に取り付けられた紐を中空柱内で保持し当該棒状体を懸吊するときの中空柱内における棒状体の懸吊方法であって、前記中空柱側面に設けられた小孔から当該小孔の位置に応じた所定長だけ通線紐を挿入する工程と、前記懸吊用治具の基軸の先端部分を前記小孔から中空柱内部に挿入する工程と、前記通線紐を前記基軸の先端部分に設けられた紐案内部で保持し懸吊する工程と、前記小孔より下方に設けられた開口において前記懸吊された通線紐と前記棒状体の先端に取り付けられた紐とを結束する工程と、前記小孔から前記通線紐を引き上げ、前記結束された棒状体の先端に取り付けられた紐を前記小孔から引き出す工程と、この引き出された紐を前記基軸の後端部分の中空柱外部に設けられた紐固定部に着脱自在に固定する工程とを有することを要旨とする。
【００１５】
請求項２の中空柱内における棒状体の懸吊方法によれば、中空柱側面に設けられた小孔から懸吊用治具の先端部分に設けられた紐案内部を中空柱内部に差し込み、基軸保持部で保持された基軸を進退自在に挿脱することにより、紐案内部で保持され案内される紐、つまり当該紐に取り付けられた棒状体の配置位置を容易に調整することが可能となる。
【００１６】
また請求項３は、請求項２に記載の中空柱内における棒状体の懸吊方法において、前記小孔に少なくとも一部が嵌め込まれる基軸保持部により軸方向に進退自在に保持される基軸を進退移動させて前記紐案内部で懸吊される前記棒状体の中空柱内部での配置位置を変更することを要旨とする。
【００１７】
請求項３の中空柱内における棒状体の懸吊方法によれば、基軸が基軸保持部により軸方向に進退自在に保持されることから、基軸先端の紐案内部で懸吊される棒状体の中空柱内部での配置位置を容易に変更することが可能となる。
【００１８】
さらに請求項４は、請求項２または３のいずれかに記載の中空柱内における棒状体の懸吊方法であって、前記所定長は、前記小孔が中空柱の頂部近傍の中空柱側面に設けられるとき、この小孔と前記開口との距離よりも若干長いことを特徴とする。
【００１９】
請求項４の中空柱内における棒状体の懸吊方法によれば、中空柱の頂部近傍の中空柱側面に設けられ小孔から挿入される通線紐の長さが、該小孔と前記開口との距離よりも若干長いことから、開口部分において、例えば中空中内部に挿入する棒状体の先端に取り付けられた紐と当該通線紐とを容易に結束することが可能となる。
【発明の効果】
【００２０】
本発明によれば、中空柱の頂部を開口することなく中空柱の頂部近傍からガイド棒、アラミドロッド等の棒状体を懸吊し、中空柱内の所定の位置に効率的に配置することができ、これにより中空柱の頂部を開口出来ない環境下にある既設の中空柱を立設した状態のままで容易にかつ効果的に補強することができる。
【発明を実施するための最良の形態】
【００２１】
以下、本発明の実施の形態を図面を参照して説明する。なお、以下において、中空柱としては、各種鋼管柱（テーパーの無い鋼板柱、テーパーのあるパンザマスト（panzer mast；鋼板組立柱））やコンクリート柱（テーパーの有る電柱やテーパーのないコンクリート柱）が含まれ、補強材にはアラミドロッドや鉄筋（例えばＰＣ鋼線）が含まれ、棒状体にはガイド棒（例えばＰＣ鋼線製）やアラミドロッドが含まれる。以下、上記中空柱を単に電柱Ｐと記載して説明する。また充填材としては、砂、豆砂利、砕石、モルタル、（無収縮）コンクリート等が含まれるものとする。また、下記で用いられる各アラミドロッドＬ（下段アラミドロッドＬL、中段アラミドロッドＬM、上段アラミドロッドＬU）は、上記中空柱の大きさ（高さ、太さ）や設置環境に応じて、１〜１６本等が適宜、用いられる。
【００２２】
まず、図１及び図２を参照して本発明に係る実施の形態を説明する。図１は本実施の形態に係る懸吊用治具１の斜視図を示し、図２は同正面図を示す。これら図１及び図２では、懸吊用治具１が仮想線で示される電柱Ｐの側面に穿孔された小孔、すなわちロッド懸吊用孔Ｈaに取り付けられ、かつアラミドロッドＬを懸吊するロッドワイヤＬWを掛止している状態を示す。
【００２３】
基軸１１は、長さ２０ｃｍ程度の鉄製の丸棒の先端に先端方向に開口するＣ型の紐案内部１１aを溶接してなる。基軸保持部１３及び基軸支持部１５は、長さ４０ｍｍ（概ね２０ｍｍ〜８０ｍｍの範囲が利用に好適である）程度の外形が六角形の管状体をＬ字型に溶接し固定したものであり、その一方の水平方向に据え付けられる管状体（以下、基軸保持部１３）の上面には溝状の切り欠き（以下、紐挿通部１３ｂ）が設けられ、他方の垂直方向に取り付けられる管状体（以下、基軸支持部１５）の下方には必要に応じて支持軸１９及び図示しない高ナットが適宜、接続される。この支持軸１９及び高ナットは、作業者の作業性の改善や、懸吊用治具１の安定を図るために適宜、接続される。
【００２４】
前記紐挿通部１３ｂの溝幅（離間距離）は、後述するロッドワイヤＬWやガイド棒ワイヤＧWがロッド懸吊用孔Ｈa内を進退自在に挿通し得る、つまり案内できる幅と深さがあればあれば良く、そのため図１に示すような「割り」である必要は無く、例えば底のある「溝」であっても良い。
【００２５】
また管状体（基軸保持部１３および基軸支持部１５）のそれぞれの側面には１乃至４箇所（１面又は２面にそれぞれ１，２箇所）のねじ止め部１３a 及びねじ止め部１５ａが設けられる。このねじ止め部１３a の六角穴付き止めねじ（いわゆるイモネジ）を締め付けることにより基軸１１を固定することができ、ねじ止め部１５ａでは支持軸１９の着脱及び固定を容易に行うことができる。
【００２６】
基軸保持部１３および基軸支持部１５は、通常は入手及び加工の容易さから、いわゆる高ナット（長ナット）が用いられる。なお、外形を六角形としているのは、施工時にペンチ等の工具を使用したときの作業性が良く、また溶接や切り欠き等の加工性に優れるからである。
【００２７】
紐固定部１７は、１対の２つのアルミ製のブロックからなり、この２つのブロックの対向面のそれぞれに基軸１１の形状に合わせた溝１７ａが形成される。この溝１７ａに基軸１１の後端部分を挟み込み、固定用六角ナット１７ｂで２つのブロックの間隙間距離を狭めるように締め付けることで、紐固定部１７を基軸１１の後端部分に固定する。
【００２８】
また、この固定用六角ナット１７ｂのボルト１７ｃに重ねて固定用蝶ナット１７ｄを装着する。この固定用蝶ナット１７ｄは、前記固定用六角ナット１７ｂとの間にワッシャを介して、後述するロッドワイヤＬWやガイド棒ワイヤＧWを着脱自在に固定するものである。
【００２９】
以下の説明において、補強材としてのアラミドロッドＬは、中空柱の基礎部分に用いられるものを下段アラミドロッドＬLとし、この下段アラミドロッドＬLの上部に用いられるものを中段アラミドロッドＬMとし、この中段アラミドロッドＬMのさらに上側に用いられるものを上段アラミドロッドＬUとする。
【００３０】
さらに、それぞれの上端には紐としてのステンレスワイヤよりなるロッドワイヤＬWが取り付けられる。またガイド棒Ｇの上端には紐としてのステンレスワイヤよりなるガイド棒ワイヤＧWが取り付けられる。なお、これら紐としては、ステンレスワイヤの他、アラミド繊維製のロープ等であっても良い。
【００３１】
次に、図３乃至図１３を参照して、本実施形態の懸吊用治具１を用いた補強工法の一例について説明する。
【００３２】
まず図３に示すように、電柱Ｐに所定の開口を設ける。電柱Ｐの頂部近くには４箇のロッド懸吊用孔Ｈaを設ける。このロッド懸吊用孔Ｈaは、図４に示すように、予め電柱Ｐの頂部近傍に設けられている直径２０ｍｍ程度の孔を利用する。
【００３３】
この孔に真鍮製のキャップ（孔保護部材Ｈaa）が嵌め込まれているときには、懸吊用治具１の取り付けに支障が無いように予め撤去しておくと良い。なお、図４中に示すＰｃは電柱Ｐの頂部を塞ぐカバー（キャップ）であり、通常はこのカバーＰｃを取り外して作業を行う。いうまでもなく本実施形態は、このカバーＰｃを取り外した作業を行うことが出来ない場合に好適である。
【００３４】
再び図３を参照するに、ロッド懸吊用治具取付孔Ｈdは電柱Ｐの裏面側の地上高１．５ｍから１．８ｍに開口される直径１０ｃｍ以下の孔であり、作業孔Ｈeは電柱Ｐの表面側の地上高１ｍから２ｍの範囲に開口される長径が５０ｃｍ程度、短径が３〜１０ｃｍの孔であり、上側内部確認孔Ｈfは電柱Ｐの裏面側の地上高０．３ｍから０．５ｍに開口される直径５ｃｍ以下の孔であり、下側内部確認孔Ｈgは電柱Ｐの表面側の地上高０．３ｍから０．５ｍに開口される直径１０ｃｍ以下の孔である。なお、これら開口高さと開口径は、電柱Ｐの形状や設置環境等によって適宜、変更されるものである。
【００３５】
次に、図４，５を参照するに、電柱の頂部近傍の前述したロッド懸吊用孔Ｈaより上方にガイド棒懸吊用孔Ｈbとモルタル投入孔Ｈcとを開口する。ガイド棒懸吊用孔Ｈbは電柱Ｐの表面側の中空柱頂部（例えば電柱末口下部）から５ｃｍ〜２５ｃｍの範囲に開口される直径２０ｍｍ程度の孔であり、モルタル投入孔Ｈc は電柱Ｐの裏面側の中空柱頂部（同電柱末口下部）から５ｃｍ〜３５ｃｍの範囲に開口される直径が３０〜４０ｍｍ程度の孔である。
【００３６】
上述してきた穿孔作業に続いて、これら開口からアラミドロッドＬを挿入し、懸吊用治具１の配置、取付を行う。
【００３７】
まず、図６を参照するに、作業孔Ｈeより下段アラミドロッドＬLを４〜１２本を挿入し、この下段アラミドロッドＬLを仮配置する。この仮配置は、作業孔Ｈeと、この作業孔Ｈeと対向するロッド懸吊用治具取付孔Ｈdに取り付けた、図示しないロッド懸吊用治具を用いて行う。
【００３８】
このときの下段アラミドロッドＬLの長さは、図６では下段アラミドロッドＬLの上端が作業孔Ｈeより下がった位置となる長さに調整してあるが、想像線で示すロッドＬｘのように作業孔Ｈe近傍までの長さとしても良い。このように長く設定することで、後述する中段アラミドロッドＬMと下段アラミドロッドＬLとを、いわゆるラップさせることにより、この下段アラミドロッドＬLと中段アラミドロッドＬMとの切り換え部分を補強することが可能となる。実際の施工の際にはラップさせて補強するが、本説明では図面を見易くするために簡単にしてある。また、ラップ長は後述するように懸吊用治具１による懸吊の際に電柱Ｐの規格（大きさ）に応じて適宜、調整することが可能である。
【００３９】
次に、予めガイド棒固定用治具２１を装着したガイド棒Ｇを作業孔Ｈeより挿入する。この挿入に際しては、ガイド棒固定用治具２１をガイド棒Ｇの軸方向に伸張した（つまり雨傘を閉じたような）状態にしておき、挿入後、概ね所定の位置でガイド棒Ｇを垂直に立てた後に、ガイド棒固定用治具２１をガイド棒Ｇの軸方向に縮退して腕を展開した（図６に示すように雨傘を開いたような）状態にする。これによりガイド棒固定用治具２１の中心に挿通されるガイド棒Ｇの位置を中空柱の中心位置に配置することができる。
【００４０】
続いて、作業孔Ｈeよりロッド配置用治具２３を中空柱内に挿入し、ガイド棒Ｇをロッド配置用治具２３の図示しない中心孔（ロッド配置用治具２３の中心位置に治具面に垂直に設けられた孔）に挿通すると共に、ロッドワイヤＬWをロッド配置用治具２３のそれぞれの図示しないロッド保持部（ロッド配置用治具２３の３〜８本の腕部材のそれぞれに設けられたロッドの保持用の環状部材）に通線した後に当該ロッド配置用治具２３を所定の位置、具体的にはガイド棒固定用治具２１の直ぐ上まで降ろし配置する。このとき、ロッド保持部には、通線されたロッドワイヤＬWに接続される下段アラミドロッドＬLが挿通され、保持される。
【００４１】
ここでＣＣＤカメラを中空柱内に挿入し、ロッド配置用治具２３により下段アラミドロッドＬLが中空柱の内周面より若干内側で等間隔に配置されていることを確認した後に、作業孔Ｈeより砕石を投入し、下段アラミドロッドＬLを固定する。
【００４２】
続いて、地中のアース孔（ＧＬ−０．５０ｍ）が埋まる程度（図６参照）まで、モルタルを投入し、ＣＣＤカメラでモルタルが均一に行き渡っているかを確認する。この後、作業孔Ｈeよりロッド配置用治具２５を中空柱内に挿入し、ガイド棒Ｇをロッド配置用治具２５の中心孔（ロッド配置用治具２５の中心位置に治具面に垂直に設けられた孔）に挿通すると共に、ロッドワイヤＬWをロッド配置用治具２５のそれぞれの図示しないロッド保持部に通線した後に当該ロッド配置用治具２５を所定の位置、具体的には下段アラミドロッドＬLの上端位置近傍まで降ろし、高ナット等で固定する。
【００４３】
さらに、その上にガイド棒固定用治具２７を設置し、モルタル投入時におけるガイド棒Ｇの振れや移動を防止する。
【００４４】
次に図７を参照するに、電柱内部確認用の２箇所の開口、すなわち上側内部確認孔Ｈfと下側内部確認孔Ｈg とを治具（例えば、特願２００５−３１３３９２記載の孔閉塞用埋込栓）や止水セメントを用いて閉塞した後、下段アラミドロッドＬLの頭部位置まで、モルタル投入用漏斗３１を介してモルタルを作業孔Ｈeより投入しする。このモルタル投入が完了した後に、ガイド棒固定用治具２７を取外し、作業孔Ｈeより中空柱外部に取り出す。
【００４５】
次に、図８，９，１０を参照して懸吊用治具１の取付施工について説明する。まず、中空柱頂部のロッド懸吊用孔Ｈaより図示しない通線紐を下ろし、中空柱下部の作業孔Ｈeより通線紐を取り出し、中段アラミドロッドＬMの上端に取り付けられたロッドワイヤＬWと結ぶ。ここで懸吊用治具１の基軸１１及び基軸保持部１３をロッド懸吊用孔Ｈaに挿入して、懸吊用治具１をロッド懸吊用孔Ｈaに取付ける（図８を参照）。
【００４６】
続いて、懸吊用治具１の先端の紐案内部１１aにて懸吊した通線紐を、ロッド懸吊用孔Ｈa外部より引き上げつつ、中段アラミドロッドＬMを作業孔Ｈeから挿入し、中段アラミドロッドＬMを引き上げて懸吊用治具１で懸吊する。以下、同様に全てのロッド懸吊用孔Ｈaにて中段アラミドロッドＬMを順次引き上げて懸吊用治具１で、例えば最適なラップ長となる位置で懸吊する。
【００４７】
さらにガイド棒懸吊用孔Ｈbからも同様に通線紐を下ろし、作業孔Ｈeより通線紐を取り出し、作業孔Ｈeより上段アラミドロッドＬUと接続された連結用のガイド棒Ｇを挿入し、ガイド棒懸吊用孔Ｈbから引き上げ、懸吊用治具１にて懸吊する。
【００４８】
次に、作業孔Ｈeよりガイド棒Ｇを順次、高ナット３７にて連結しながらロッド配置用治具３３，３５挿入し、それぞれ所定の位置に配置する。
【００４９】
さらに最下段のロッド配置用治具２９の配置が完了したら、上段のガイド棒Ｇと下段のガイド棒Ｇを高ナット３７にて固定する。このとき、中段アラミドロッドＬMの浮上りを防止するため、中段アラミドロッドＬMをロッド配置用治具２９に固定する。
【００５０】
次に図１１を参照するに、まず、ロッド懸吊用治具取付孔Ｈd及び作業孔Ｈe等を止水セメント（例えば６０秒タイプ）を用いて閉塞する。作業孔Ｈeについては、開口面積が広いため適宜閉塞用の治具（例えば特願２００６−１６８８５４記載の蓋）を用いるようにしてもよい。
【００５１】
これらロッド懸吊用治具取付孔Ｈd及び作業孔Ｈe等を閉塞した後、電柱末口付近に削孔したモルタル投入孔Ｈcより、モルタル投入用漏斗３１を介してモルタルＭUを末口から５０ｃｍ程度まで一次投入する。
【００５２】
モルタルＭUを一次投入後、ロッド懸吊用孔Ｈaから懸吊用治具１を撤去し、ロッドワイヤＬWを切断する。切断したワイヤの端末は中空柱内部に落とし込んでも良いし、閉塞用治具で固定しても良い。
【００５３】
ロッドワイヤＬW切断後、懸吊用治具１を撤去したロッド懸吊用孔Ｈa及びガイド棒懸吊用孔Ｈbを治具（例えば前記孔閉塞用埋込栓）や止水セメントを用いて閉塞する。
【００５４】
最後に最終的なモルタルＭU投入を行う。つまり電柱末口まで完全にモルタルＭUを投入し、モルタル投入孔Ｈcを上記と同様に治具や止水セメントを用いて閉塞する（図１２参照）。
【００５５】
次に、図１３を参照して、補強工法の施工に伴って開口した開口部分の補強について説明する。ここでは作業孔Ｈe周辺を中心とした補強について、詳述する。
【００５６】
最初に補強範囲を設定し、この設定した範囲の上下を囲むように養生テープを巻付ける。この養生テープの範囲をワイヤブラシ等を用いて研磨し、汚れを除去する。続いて、樹脂系の接着剤を塗布し、アラミド繊維シート３９を巻付け、部分補強を終了する。
【００５７】
以上で、本実施形態における補強工法を完了する。
【００５８】
なお、本発明はここでは記載していない様々実施の形態等を包含するということは十分に理解すべきである。したがって、本発明はこの開示から妥当な特許請求の範囲に係わる発明特定事項によってのみ限定されるものでなければならない
【図面の簡単な説明】
【００５９】
【図１】本発明に係る懸吊用治具の構成を示す斜視図である。
【図２】本発明に係る懸吊用治具の構成を示す正面図である。
【図３】中空柱における開口部分の位置を示す図である。
【図４】中空柱頂部における既設の開口部分の孔の位置を示す図である。
【図５】中空柱における新規開口の孔の位置を示す図である。
【図６】アラミドロッドの下段配置の施工状態を示す図である。
【図７】モルタルの下段部への投入施工を示す図である。
【図８】中空柱頂部の孔への懸吊用治具の取付状態を示す図である。
【図９】懸吊用治具へのアラミドロッド及びガイド棒の装着状態を示す図である。
【図１０】アラミドロッドの中段及び上段配置の施工状態を示す図である。
【図１１】モルタルの上段部への投入施工を示す図である。
【図１２】モルタルの投入が完了した状態を示す図である。
【図１３】外周部にアラミド繊維シートを外巻きにした状態を示す図である。
【符号の説明】
【００６０】
１…懸吊用治具
１１…基軸
１１a…紐案内部
１３…基軸保持部
１３a…ねじ止め部
１３ｂ…紐挿通部
１５…基軸支持部
１５ａ…ねじ止め部
１７…紐固定部
１７ａ…溝
１７ｂ…固定用六角ナット
１７ｃ…固定用蝶ナット
１９…支持軸
２１…ガイド棒固定用治具
２３…ロッド配置用治具
２５…ロッド配置用治具
２７…ガイド棒固定用治具
２９…ロッド配置用治具
３１…モルタル投入用漏斗
３３…ロッド配置用治具
３５…ロッド配置用治具
３７…高ナット
３９…アラミド繊維シート
Ｐ…中空柱
Ｇ…ガイド棒
ＧW…ガイド棒ワイヤ
Ｌ…アラミドロッド
ＬL…下段アラミドロッド
ＬM…中段アラミドロッド
ＬU…上段アラミドロッド
ＬW…ロッドワイヤ
Ｈa…ロッド懸吊用孔
Ｈaa…孔保護部材
Ｈb…ガイド棒懸吊用孔
Ｈc…モルタル投入孔
Ｈd…ロッド懸吊用治具取付孔
Ｈe…作業孔
Ｈf…上側内部確認孔
Ｈg…下側内部確認孔
【図１】
0005117773.tif 000002
【図２】
0005117773.tif 000003
【図３】
0005117773.tif 000004
【図４】
0005117773.tif 000005
【図５】
0005117773.tif 000006
【図６】
0005117773.tif 000007
【図７】
0005117773.tif 000008
【図８】
0005117773.tif 000009
【図９】
0005117773.tif 000010
【図１０】
0005117773.tif 000011
【図１１】
0005117773.tif 000012
【図１２】
0005117773.tif 000013
【図１３】
0005117773.tif 000014